(57)【要約】【課題】各種変動要因でも記録特性が変動しない最適記録条件によって記録媒体上に高い信頼性をもつ高品質のデータを安定して記録できるようにする。【解決手段】Ｓ１で回転モータを線速度Ｖｏで回転させ、Ｓ２で記録パルス幅ＴＨ＿０を設定し、Ｓ３で記録パワーを１０段階に可変してデータを光ディスクのＰＣＡ領域に試し書きし、Ｓ４でその再生信号のβ値を測定し、そのβ値に基づくパワーマージンによって記録特性を評価し、Ｓ５でその評価結果データが所定の基準値以上であると判断したら、Ｓ６で評価結果データが基準値以上のパワーマージンの記録パルス幅を最適記録パルス幅ＴＨに決定し、Ｓ７でそのパワーマージンの中心値に基づいて得られる記録パワーを最適記録パワーＰｗに決定する。【選択図】　　　図５
2004139649.tif 000002
【特許請求の範囲】
【請求項１】
記録媒体に所定の記録条件でデータを試し書きし、該試し書きしたデータを再生し、該再生したデータに基づいて前記記録条件における記録特性を評価し、該評価によって得られた評価結果データが予め設定した基準値を満たすときに前記記録条件をデータ記録時の最適記録条件に決定する最適記録条件決定手段とを備えたことを特徴とする情報記録装置。
【請求項２】
記録媒体に記録条件を変えてデータを試し書きし、該試し書きした各データを再生し、該再生した各データに基づいてそれぞれの記録条件における記録特性を評価し、該評価によって得られた各評価結果データの中から予め設定した基準値を満たす評価結果データを求め、該求めた評価結果データの中から最大値の評価結果データが得られた記録条件をデータ記録時の最適記録条件に決定する最適記録条件決定手段とを備えたことを特徴とする情報記録装置。
【請求項３】
請求項１又は２記載の情報記録装置において、
前記記録特性の評価を、前記再生したデータのブロックエラーレートが所定の基準値以下であるパワーマージンに基づいて評価するようにしたことを特徴とする情報記録装置。
【請求項４】
請求項１又は２記載の情報記録装置において、前記記録特性の評価を、前記再生したデータのブロックエラーレートが所定の基準値以下であり且つ前記再生したデータの変調度が所定の基準値以上であるパワーマージンを評価するようにしたことを特徴とする情報記録装置。
【請求項５】
請求項１乃至４のいずれか一項に記載の情報記録装置において、前記評価結果データが予め設定した基準値を満たさないとき、前記記録媒体への記録速度を遅くして前記記録媒体に再度データを試し書きし、該試し書きしたデータを再生したデータに基づいて前記記録特性の評価を行うようにしたことを特徴とする情報記録装置。
【請求項６】
請求項１乃至５のいずれか一項に記載の情報記録装置において、前記最適記録条件決定手段によって決定された最適記録条件を記憶する最適記録条件記憶手段を設け、次回の最適記録条件の決定の際は、前記最適記録条件記憶手段から読み出した最適記録条件に基づいて記録媒体にデータを試し書きし、該試し書きしたデータを再生したデータに基づいて前記最適記録条件を決定するようにしたことを特徴とする情報記録装置。
【請求項７】
請求項６記載の情報記録装置において、前記最適記録条件決定手段によって複数の記録速度毎にデータ記録時の最適記録条件を決定するようにし、前記最適記録条件記憶手段は、前記最適記録条件決定手段によって決定された複数の記録速度毎の最適記録条件を記憶する手段であることを特徴とする情報記録装置。
【請求項８】
請求項６記載の情報記録装置において、前記最適記録条件決定手段によって複数種類の記録媒体毎にデータ記録時の最適記録条件を決定するようにし、前記最適記録条件記憶手段は、前記最適記録条件決定手段によって決定された複数種類の記録媒体毎の最適記録条件を記憶する手段であることを特徴とする情報記録装置。
【請求項９】
請求項６記載の情報記録装置において、前記最適記録条件決定手段によってデータ記録時の最適記録条件を決定する毎に前記最適記録条件記憶手段に記憶した最適記録条件を更新する手段を設けたことを特徴とする情報記録装置。
【請求項１０】
請求項１乃至９のいずれか一項に記載の情報記録装置とデータ通信可能に接続されたホスト装置であって、前記情報記録装置に対して前記最適記録条件決定手段によるデータ記録時の最適記録条件を決定させるか否かを選択する選択手段を備えたことを特徴とするホスト装置。
【請求項１１】
請求項１乃至９のいずれか一項に記載の情報記録装置において、前記最適記録条件決定手段によって所定の記録速度でのデータ記録時の最適記録条件の決定が不可能な場合、最適記録条件の決定が不可能な記録速度であることを警告し、最適記録条件の決定が可能な記録速度を報告する手段を設けたことを特徴とする情報記録装置。
【発明の詳細な説明】
【０００１】
【発明の属する技術分野】
この発明は、ＣＤ−Ｒ／ＲＷドライブ，ＤＶＤ−Ｒ／ＲＷドライブ，ＤＶＤ＋Ｒ／ＲＷドライブ，ＤＶＤ−ＲＡＭドライブ等の記録媒体にデータを記録する情報記録装置とその情報記録装置とデータ通信可能に接続されたホスト装置とに関する。
【０００２】
【従来の技術】
近年、ＣＤ−Ｒ（Ｃｏｍｐａｃｔ　Ｄｉｓｃ　Ｒｅｃｏｒｄａｂｌｅ）ディスク，ＣＤ−ＲＷディスク，ＤＶＤ−Ｒディスク，ＤＶＤ−ＲＷディスク，ＤＶＤ＋Ｒディスク，ＤＶＤ＋ＲＷディスク，ＤＶＤ−ＲＡＭディスク等の光ディスク（記録媒体）のディスクメーカー（製造元企業）は日本だけでなく台湾などのメーカーも増えてきている。
各ディスクメーカー毎に、ディスク製造時に必要なスタンパーによる機械特性のばらつきがあり、ディスクの記録膜材料，膜圧，トラックピッチの幅などにも違いがあるので、各ディスクメーカーによって又は同一ディスクメーカーでも製品によって記録性能の異なるディスクが市販されるようになった。
【０００３】
そこで、光ディスクにデータを記録する光ディスク装置（情報記録装置）において、各ディスクメーカーの光ディスク毎に十分な記録品質が得られるように記録条件（記録ストラテジ）の最適化を行っているのが現状である。その記録条件の代表的な記録制御パラメータとして記録パワーと記録パルス幅の２つが挙げられる。
その記録条件の最適化は光ディスク装置の設計時に行っている。まず、光ディスク装置の設計時にリファレンスドライブ等によって試験的に行った記録結果に基づいて一義的に最適記録条件（最適記録ストラテジ）の記録制御パラメータを決定し、その記録制御パラメータを光ディスク装置のファームウェアに格納しており、光ディスク装置の出荷後にその光ディスク装置に光ディスクが装着されたとき、ファームウェアから記録制御パラメータを読み込み、その記録制御パラメータを最適記録条件として設定してデータ記録を制御している。
【０００４】
しかし、実際には光ディスク装置毎に回路系や光学系の性能にバラツキがあり、各光ディスク装置毎に最適記録条件が異なるものであり、それぞれの光ディスク装置に同じ最適記録条件の記録制御パラメータを設定しても実際の最適な記録制御パラメータ値からずれてしまうことが多く、光ディスクに対する所定の記録品質を確保できない等の問題があった。
そこで従来は、記録特性として再生信号の再生信号強度対雑音比（キャリア・ノイズ・レシオ：ＣＮＲ）が最大となる記録条件，再生信号のビットエラーレートが最小になる記録条件を最適記録条件として決定し、その最適記録条件でデータを記録することにより、光ディスク装置の個々の性能にバラツキがあっても容易に最適記録条件でデータ記録可能にしていた（例えば、特許文献１参照）。
【０００５】
【特許文献１】
特開平０５−２５０６７３号公報
【０００６】
【発明が解決しようとする課題】
しかしながら、従来の光ディスク装置では、ＣＮＲを測定するためのスペクトラムアナライザーの機能を取り組む必要があり、その機能を光ディスク装置に実装するとコストがかかるうえに装置の大型化を招いてしまうし、その機能による測定には時間がかかるのでデータ記録に時間がかかるという問題があった。
また、ビットエラーレート値が最小になる記録制御パラメータの記録パワーと記録パルス幅を求めても、データ記録中に起きるさまざまな変動要因（例えば、レーザ光を発生させるレーザダイオード等の半導体レーザ光源の微妙な発振周波数のばらつきやパルス変動等がある）によって記録パワーや記録パルス幅が変動した場合、ビットエラーレート値が急激に悪化してデータ記録品質を低下させてしまうという問題もあった。
【０００７】
この発明は上記の課題を解決するためになされたものであり、各種変動要因によっても記録特性が変動しない最適記録条件によって記録媒体上に高い信頼性をもつ高品質のデータを安定して記録することができるようにすることを目的とする。
【０００８】
【課題を解決するための手段】
この発明は上記の目的を達成するため、次の（１）〜（９）の各情報記録装置を提供する。
（１）記録媒体に所定の記録条件でデータを試し書きし、その試し書きしたデータを再生し、その再生したデータに基づいて上記記録条件における記録特性を評価し、その評価によって得られた評価結果データが予め設定した基準値を満たすときに上記記録条件をデータ記録時の最適記録条件に決定する最適記録条件決定手段を備えた情報記録装置。
【０００９】
（２）記録媒体に記録条件を変えてデータを試し書きし、その試し書きした各データを再生し、その再生した各データに基づいてそれぞれの記録条件における記録特性を評価し、その評価によって得られた各評価結果データの中から予め設定した基準値を満たす評価結果データを求め、その求めた評価結果データの中から最大値の評価結果データが得られた記録条件をデータ記録時の最適記録条件に決定する最適記録条件決定手段を備えた情報記録装置。
【００１０】
（３）（１）又は（２）の情報記録装置において、上記記録特性の評価を、上記再生したデータのブロックエラーレートが所定の基準値以下であるパワーマージンに基づいて評価するようにした情報記録装置。
（４）（１）又は（２）の情報記録装置において、上記記録特性の評価を、上記再生したデータのブロックエラーレートが所定の基準値以下であり且つ上記再生したデータの変調度が所定の基準値以上であるパワーマージンを評価するようにした情報記録装置。
（５）（１）乃至（４）のいずれかの情報記録装置において、上記評価結果データが予め設定した基準値を満たさないとき、上記記録媒体への記録速度を遅くして上記記録媒体に再度データを試し書きし、その試し書きしたデータを再生したデータに基づいて上記記録特性の評価を行うようにした情報記録装置。
【００１１】
（６）（１）乃至（５）のいずれかの情報記録装置において、上記最適記録条件決定手段によって決定された最適記録条件を記憶する最適記録条件記憶手段を設け、次回の最適記録条件の決定の際は、上記最適記録条件記憶手段から読み出した最適記録条件に基づいて記録媒体にデータを試し書きし、その試し書きしたデータを再生したデータに基づいて上記最適記録条件を決定するようにした情報記録装置。
（７）（６）の情報記録装置において、上記最適記録条件決定手段によって複数の記録速度毎にデータ記録時の最適記録条件を決定するようにし、上記最適記録条件記憶手段を、上記最適記録条件決定手段によって決定された複数の記録速度毎の最適記録条件を記憶する手段にした情報記録装置。
【００１２】
（８）（６）の情報記録装置において、上記最適記録条件決定手段によって複数種類の記録媒体毎にデータ記録時の最適記録条件を決定するようにし、上記最適記録条件記憶手段を、上記最適記録条件決定手段によって決定された複数種類の記録媒体毎の最適記録条件を記憶する手段にした情報記録装置。
（９）（６）の情報記録装置において、上記最適記録条件決定手段によってデータ記録時の最適記録条件を決定する毎に上記最適記録条件記憶手段に記憶した最適記録条件を更新する手段を設けた情報記録装置。
【００１３】
さらに、次の（１０）のホスト装置と（１１）の情報記録装置も提供する。
（１０）（１）乃至（９）のいずれかの情報記録装置とデータ通信可能に接続されたホスト装置であって、上記情報記録装置に対して上記最適記録条件決定手段によるデータ記録時の最適記録条件を決定させるか否かを選択する選択手段を備えたホスト装置。
（１１）（１）乃至（９）のいずれかの情報記録装置において、上記最適記録条件決定手段によって所定の記録速度でのデータ記録時の最適記録条件の決定が不可能な場合、最適記録条件の決定が不可能な記録速度であることを警告し、最適記録条件の決定が可能な記録速度を報告する手段を設けた情報記録装置。
【００１４】
【発明の実施の形態】
以下、この発明の実施形態を図面に基づいて具体的に説明する。
図２は、この発明の一実施形態である光ディスク装置とホスト装置とからなる情報記録再生システムの構成を示すブロック図である。
この情報記録再生システムは、ＣＤ−Ｒ／ＲＷドライブ，ＤＶＤ−Ｒ／ＲＷドライブ，ＤＶＤ＋Ｒ／ＲＷドライブ，ＤＶＤ−ＲＡＭドライブ等の光ディスク装置１とパーソナルコンピュータ等のホスト装置（ホストコンピュータ）２とが公知の通信ケーブル，インタフェース等によってデータ通信可能に接続されている。
【００１５】
図１は、図２に示した光ディスク装置１とホスト装置２の内部の機能構成を示すブロック図である。
光ディスク装置１は、レーザ光源であるＬＤの制御回路において少なくとも記録パワー，再生パワーの２段階のパワー出力が可能であり、設定された目標値を維持するように記録パルスを制御するＣＤ−Ｒ／ＲＷドライブ，ＤＶＤ−Ｒ／ＲＷドライブ，ＤＶＤ＋Ｒ／ＲＷドライブ，ＤＶＤ−ＲＡＭドライブ等の情報記録装置であり、コントローラ１０，回転モータ１１，モータ制御部１２，ヘッド１３，ＬＤドライバ１４，アクセス制御部１５，パルス設定部１６，パワー設定部１７，β値検出部１８，パラメータ記憶部１９からなる。
【００１６】
回転モータ（スピンドルモータ）１１は、ＣＤ−Ｒ／ＲＷディスク，ＤＶＤ−Ｒ／ＲＷディスク，ＤＶＤ＋Ｒ／ＲＷディスク，ＤＶＤ−ＲＡＭディスク等の光ディスク３を回転する。
モータ制御部１２は、コントローラ１０からの回転スピード制御指令（Ｓｐｅｅｄ）に基づいて回転モータ１１を所定の速度で回転し、光ディスク３の線速度を可変する制御を行う。
【００１７】
ヘッド（光ピックアップ）１３は、データ記録時，データ試し書き時，データ再生時に、図示を省略した公知のレーザダイオード等の半導体レーザ光源（ＬＤ）によってレーザ光を発光して光ディスク３に照射する。ＬＤドライバ１４からの制御によってデータ記録時，データ試し書き時は所定の記録パワー，記録パルス幅によってレーザ光の光ビームＬを光ディスク３の記録膜上に集光させてデータの記録マークを形成して記録する。また、データ再生時は所定の再生パワー等によって光ビームＬを光ディスク３のデータが記録された部分に集光させてその反射光を同じく図示を省略した受光素子（ＰＤ）によって受信し、その再生信号（ＲＦ）を出力してデータを再生する。
【００１８】
このように、レーザ光を記録パワー状態とスペースパワー状態の間で変調することにより、光ディスク３の記録膜上には記録マークとそうでないところができる。それを再生すると反射率の差が生じて情報信号として再生することができる。記録マークは、例えば、ＣＤ−Ｒディスクのような非可逆な有機色素媒体ではピット（穴）であり、そうでないところはスペースと呼ばれる。
【００１９】
ＬＤドライバ１４は、パルス設定部１６からの入力パルス信号（ＷＤ）に基づいて所定の記録パワー状態の記録パワーで、なおかつパワー設定部１７からの記録パワー信号に基づいて入力パルス信号（ＷＤ）で変調される所定の記録パルス幅でヘッド１３のＬＤにレーザ光を発光させる制御を行う。
アクセス制御部１５は、コントローラ１０からのアクセス制御指令（ａｃｃｅｓｓ）に基づいてヘッド１３を光ディスク３の半径方向に移動させる制御を司り、光ディスク３に予め設けられた試し書き領域やユーザデータ領域にデータ記録・再生時の光ビームＬＤが照射されるようにアクセスを制御する。
【００２０】
パルス設定部１６は、コントローラ１０からの指示に基づいてホスト装置２からの記録データ列信号（ＷＤＡＴＡ）を記録パルス幅を示す入力パルス信号（ＷＤ）に変換してＬＤドライバ１４へＬＤの記録パルス幅を制御する信号として出力する。
【００２１】
その変換処理は、好ましくは記録パルス幅を変える処理である。例えば、図３に示すように、入力パルス信号（ＷＤ）の記録パルス幅の立ち上がりエッジを記録データ列信号（ＷＤＡＴＡ）の立ち上がりエッジよりも前側に立ち上がりエッジシフト量ｔｈｅｔａだけずらせて記録パルス幅を長くする。その立ち上がりエッジシフト量ｔｈｅｔａは、記録データ列信号（ＷＤＡＴＡ）の全ての立ち上がりエッジに対して同じ量にしてもよいが、記録データ列信号（ＷＤＡＴＡ）の記録マーク長（Ｈｉｇｈ幅）に応じて異なる量を設定してもよい。例えば、記録マーク長が短いほど長めの立ち上がりエッジシフト量ｔｈｅｔａを設定すれば、短い記録マーク長の記録マークの記録感度を補正することができる。この時のパルス幅設定を立ち上がりエッジシフト量ｔｈｅｔａを用いて（ｎ＋ｔｈｅｔａ）Ｔと表現する。
【００２２】
パワー設定部１７は、コントローラ１０から入力される記録パワー制御指令（ｐｏｗｅｒ）に基づいてＬＤドライバ１４にＬＤの発光レベルを指示する記録パワー信号を出力する。また、コントローラ１０からデータの試し書きのＯＰＣモード指令（ＯＰＣｍｏｄｅ）が入力されると、記録パワー制御指令とは関係なくデータ試し書きモードになり、ＬＤドライバ１４にＬＤの発光レベルを指示する記録パワーを順次可変する記録パワー信号を出力する。
【００２３】
なお、上記記録パワー及び記録パルス幅は固定値を設定してもよいが、光ディスク３の記録速度である線速度に応じてそれぞれの値を設定するようにすれば、線速度による記録マーク長毎の感度の違いを吸収できるからなおよい。
また、光ディスク３に対するＺＣＬＶ記録やＣＡＶ記録のように、ディスク面内で記録速度（記録時の線速度：記録線速度）を変える場合、記録中に随時線速度によって記録パワーや記録パルス幅の設定を変えるのが好ましい。
β値検出部１８は、ヘッド１３から再生信号（ＲＦ）入力するとその信号の低域成分を除去（ＡＣ結合）して、その上側包絡線レベルａと下側包絡線レベルｂを検出する。
【００２４】
図４は、再生信号（ＲＦ）から低域成分を除去して上側包絡線レベルａと下側包絡線レベルｂを求める処理の説明に供する波形図である。
光ディスク３の記録膜の特性として、記録マーク部でのレーザ光の反射率が下がると仮定すると、再生信号（ＲＦ）は低反射部で低レベルになる。そうすると、適正な記録条件のときにＡＣ結合された再生信号（ＲＦ）の場合、同図の（１）に示すように、上側包絡線レベルａと下側包絡線レベルｂが基準レベルを挟んで上下対称になり、ａ＝ｂになる。
【００２５】
また、適正な記録条件のときよりも記録パワーが過大な場合は記録マーク部が長くなるから、同図の（２）に示すように、ＡＣ結合された再生信号（ＲＦ）の下側包絡線レベルｂよりも上側包絡線レベルａが高くなり（高レベルになり）、ａ＞ｂになる。
さらに、適正な記録条件のときよりも記録パワーが不足する場合は記録マーク長が短くなるから、同図の（３）に示すように、ＡＣ結合された再生信号（ＲＦ）の上側包絡線レベルａよりも下側包絡線レベルｂが高くなり下側レベルが高くなり（高レベルになり）、ａ＜ｂになる。
【００２６】
その上側包絡線レベルａと下側包絡線レベルｂの差（ａ−ｂ）を再生信号（ＲＦ）振幅値（ＲＦ振幅値）（ａ＋ｂ）で正規化した量がβ値である。
すなわち、β＝（ａ−ｂ）／（ａ＋ｂ）を求める。
このβ値は、β値が大きいと最適記録パワーよりも記録パワーが過大であり、小さいと最適記録パワーよりも記録パワーが不足であることを表す。
パラメータ記憶部１９は、光ディスク装置毎に調整された諸パラメータを格納するメモリであり、最適記録条件の記録制御パラメータも記憶する。
【００２７】
コントローラ１０は、ＣＰＵ，ＲＯＭ及びＲＡＭ等からなるマイクロコンピュータによって実現され、この光ディスク装置の全体の制御を司り、この発明に係る各種の処理も実行する。
【００２８】
一方、ホスト装置２は、パーソナルコンピュータ等のホストコンピュータであり、ＣＰＵ，ＲＯＭ及びＲＡＭ等からなるマイクロコンピュータによって実現される制御部２０によって光ディスク装置１へ光ディスク３に記録する記録データ列信号（ＷＤＡＴＡ）を出力し、光ディスク装置１から再生されたデータを取得し、光ディスク装置１に対して各種変動要因によっても記録特性が変動しない最適記録条件で高品質のデータ記録を実行させるか否かを選択する機能を実現する。
【００２９】
次に、この情報記録システムの光ディスク装置におけるこの発明に係る記録ストラテジの最適化決定機能（発光パターンの最適化機能）について説明する。
この記録ストラテジの最適化決定機能による記録ストラテジの最適化決定処理は光ディスクにデータ記録する前にその都度行うと良い。
【００３０】
（１）この発明に係る光ディスク装置１における第１の記録ストラテジの最適化決定機能
この第１の記録ストラテジの最適化決定機能を実現するため、光ディスク装置１のコントローラ１０のメモリ（図示を省略）に、コンピュータに記録媒体に所定の記録条件でデータを試し書きし、その試し書きしたデータを再生し、その再生したデータに基づいて上記記録条件における記録特性を評価し、その評価によって得られた評価結果データが予め設定した基準値を満たすときに上記記録条件をデータ記録時の最適記録条件に決定する最適記録条件決定手順を実行させるためのプログラムをインストール（ＣＰＵが実行可能に格納）する。
【００３１】
そして、コントローラ１０がそのプログラムを実行することにより、記録媒体に所定の記録条件でデータを試し書きし、その試し書きしたデータを再生し、その再生したデータに基づいて上記記録条件における記録特性を評価し、その評価によって得られた評価結果データが予め設定した基準値を満たすときに上記記録条件をデータ記録時の最適記録条件に決定する処理を行う。
【００３２】
すなわち、上記コントローラ１０等が、記録媒体に所定の記録条件でデータを試し書きし、その試し書きしたデータを再生し、その再生したデータに基づいて上記記録条件における記録特性を評価し、その評価によって得られた評価結果データが予め設定した基準値を満たすときに上記記録条件をデータ記録時の最適記録条件に決定する最適記録条件決定手段の機能を果たす。
【００３３】
また、第１の記録ストラテジの最適化決定機能を実現するため、上記最適記録条件決定手段に代えて、上記コントローラ１０等が、個々の記録パルス幅設定に対して記録パワーを数段階に変化させて記録媒体にデータを試し書きするデータ試し書き手段と、その手段によってデータを試し書きした記録媒体上の記録済み部を再生する再生手段と、その手段による再生によって得られた再生信号に基づいて記録特性を評価する再生信号評価手段と、その再生信号評価手段によって評価した記録特性のパワーマージン（所定の基準値を満たすパワー範囲）が所定の基準値以上を満足している場合、その記録特性が得られたデータの試し書き時の記録パルス幅を最適記録パルス幅に決定し、上記記録特性のパワーマージンの中心値を最適記録パワーに決定する最適記録条件決定手段の機能を果たすようにしてもよい。
【００３４】
次に、光ディスク装置１における第１の記録ストラテジの最適化決定処理について説明する。
図５は、図１に示した光ディスク装置１における第１の記録ストラテジの最適化決定処理を示すフローチャート図である。
この第１の記録ストラテジの最適化決定処理（記録を行う発光パターンの最適化処理）は、コントローラ１０がパワー設定部１７へＯＰＣモード指令を送り、モータ制御部１２へ試し書き時の回転スピード制御指令（回転速度指令，線速度指令）を送り、パルス設定部１６へ試し書き用のデータ（このデータは光ディスク装置１が記憶しているデータ，光ディスク装置１が作成したデータ，ホスト装置２から入力されたデータのいずれでもよい）の記録データ列ＷＤＡＴＡを送り、アクセス制御部１５へアクセス制御指令を送る。
【００３５】
すると、ステップ（図中「Ｓ」で示す）１でモータ制御部は回転スピード制御指令に基づいて回転モータを所定の線速度（所定の回転速度）Ｖｏで回転させ（光ディスクを線速度Ｖｏで回転させ）、ステップ２でパルス設定部は記録データ列ＷＤＡＴＡに基づいて所定の記録パルス幅（ライトパルス幅）ＴＨ＿０を設定する入力パルス信号ＷＤをＬＤドライバへ出力し、ステップ３でパワー設定部はＯＰＣモード（データ試し書きモード）に移行し、予め設定された数段階の記録パワーの各記録パワー信号を順次ＬＤドライバへ出力し、アクセス制御部はアクセス制御信号に基づいてヘッドを光ディスクのユーザデータ領域（ユーザデータエリア）よりも内周に設けられた試し書き領域であるＰＣＡ領域（Ｐｏｗｅｒ　Ｃａｌｉｂｒａｔｉｏｎ　Ａｒｅａ：ＰＣＡ）へ移動させ、ＬＤドライバは入力パルス信号と記録パワー信号に基づいてヘッドのレーザ光の照射を制御して、光ディスクのＰＣＡ領域に所定の線速度で所定の記録パルス幅のデータを予め設定された数段階の記録パワーで、例えば、［Ｐ０，Ｐ１，・・・，Ｐ８，Ｐ９］の１０段階の記録パワーでそれぞれ記録（試し書き）する。すなわち、光ディスク３のＰＣＡ領域に所定の記録条件（所定の記録パルス幅，所定の記録パワー）でデータを試し書きする。
【００３６】
ＰＣＡ領域への記録後、コントローラ１０はパワー設定部１７へ再生モード指令を送り、モータ制御部１２へ再生時の回転スピード制御指令を送り、アクセス制御部１５へＰＣＡ領域へのアクセス制御指令を送る。
すると、ステップ４でモータ制御部は回転スピード制御指令に基づいて回転モータを再生時の線速度で回転させ、パワー設定部は再生モードに移行して再生パワーをＬＤドライバへ出力し、アクセス制御部はアクセス制御信号に基づいてヘッドを光ディスクのＰＣＡ領域へ移動させ、ＬＤドライバは再生パワーに基づいてヘッドのレーザ光の照射を制御して、光ディスクのＰＣＡ領域に記録された各試し書きのデータをそれぞれ再生してその再生信号（ＲＦ）を得る。すなわち、所定の記録条件で光ディスク３に試し書きされた各データを再生する。
【００３７】
さらに、その再生信号（ＲＦ）の適当なパラメータであるβ値を測定（検出）し、そのβ値から記録特性を評価する。その記録特性の評価には、β値に基づいて上記各記録パワー毎に上記所定の記録パルス幅の試し書きデータのパワーマージン（βマージン）を用いる。まず、各試し書きのデータの再生信号からそれぞれのβ値を求め、その各β値に基づいて各試し書きのデータの記録特性を示すパワーマージンを求め、その各パワーマージンがそれぞれの記録特性の評価結果データに相当する。
【００３８】
ステップ５で各パワーマージンが予め設定した基準値以上か否かを判断して、各パワーマージンが予め設定した基準値を満たすか否かを判断し、各パワーマージンが予め設定した基準値以上でなければ、ステップ８で記録パルス幅ＴＨ＿０を変更し、ステップ３へ戻って再度試し書きとパワーマージンを評価する処理を行う。
ステップ５の判断で予め設定した基準値以上のパワーマージンがあれば、ステップ６で基準値以上のパワーマージンの再生信号が得られた試し書きデータの記録パルス幅ＴＨを最適記録パルス幅に決定し、ステップ７で基準値以上のパワーマージンの中心値の記録特性が確保できる記録パワーを最適記録パワーＰｗに決定する。このようにして、評価結果データであるパワーマージンが予め設定した基準値を満たすとき、そのパワーマージンの再生信号が得られた試し書きデータの記録条件（記録パルス幅，記録パワー）を最適記録条件として決定する。
【００３９】
この第１の記録ストラテジ最適化処理では、所定の線速度Ｖｏでの最適記録条件の決定を、パルス設定部１６によってライトパルス幅をＴＨ＿０に設定し、記録パワーを順次、例えば１０段階［Ｐ０．．．Ｐ９］に可変させて記録し、記録したエリアを再生して記録状態を評価する。その記録状態の評価は、再生信号ＲＦのβ値を測定して記録特性のパワーマージン（βマージン）を評価する。そこで、そのパワーマージンが所定の基準値以上を確保しているか否かを判断する。パワーマージンが所定の基準値以上を確保していないと判断した場合、ライトパルス幅をＴＨ＿０の設定値に対して変更し、再度試し書きを行ってパワーマージンを評価する。一方、パワーマージンが所定の基準値以上を確保されていると判断した場合、その時の記録パルス幅の設定値ＴＨを最適記録パルス幅に決定し、次ぎにそのパワーマージンの中心値の記録特性が確保できる記録パワーを最適記録パワーＰｗに決定する。
【００４０】
このようにして、測定可能な信号レベルを記録特性と関連付けることにより、記録ストラテジのバラツキがあっても、常に最適記録条件で記録することができ、高品質のデータを安定して記録することができる。したがって、各種変動要因によっても記録特性が変動しない最適記録条件で記録することができ、光ディスク上に高い信頼性をもつ高品質のデータを安定して記録することができる。
【００４１】
（２）この発明に係る光ディスク装置１における第２の記録ストラテジの最適化決定機能
この第２の記録ストラテジの最適化決定機能を実現するため、光ディスク装置１のコントローラ１０のメモリ（図示を省略）に、コンピュータに記録媒体に記録条件を変えてデータを試し書きし、その試し書きした各データを再生し、その再生した各データに基づいてそれぞれの記録条件における記録特性を評価し、その評価によって得られた各評価結果データの中から予め設定した基準値を満たす評価結果データを求め、その求めた評価結果データの中から最大値の評価結果データが得られた記録条件をデータ記録時の最適記録条件に決定する最適記録条件決定手順を実行させるためのプログラムをインストールする。
【００４２】
そして、コントローラ１０がそのプログラムを実行することにより、記録媒体に記録条件を変えてデータを試し書きし、その試し書きした各データを再生し、その再生した各データに基づいてそれぞれの記録条件における記録特性を評価し、その評価によって得られた各評価結果データの中から予め設定した基準値を満たす評価結果データを求め、その求めた評価結果データの中から最大値の評価結果データが得られた記録条件をデータ記録時の最適記録条件に決定する処理を行う。
【００４３】
すなわち、上記コントローラ１０等が、記録媒体に記録条件を変えてデータを試し書きし、その試し書きした各データを再生し、その再生した各データに基づいてそれぞれの記録条件における記録特性を評価し、その評価によって得られた各評価結果データの中から予め設定した基準値を満たす評価結果データを求め、その求めた評価結果データの中から最大値の評価結果データが得られた記録条件をデータ記録時の最適記録条件に決定する最適記録条件決定手段の機能を果たす。
【００４４】
また、第１の記録ストラテジの最適化決定機能を実現するため、上記最適記録条件決定手段に代えて、上記コントローラ１０等が、個々の記録パルス幅設定に対して記録パワーを数段階に変化させて記録媒体にデータを試し書きするデータ試し書き手段と、その手段によってデータを試し書きした記録媒体上の記録済み部を再生する再生手段と、その手段による再生によって得られた再生信号に基づいて記録特性を評価する再生信号評価手段と、その再生信号評価手段によって評価した記録特性のパワーマージン（所定の基準値を満たすパワー範囲）が所定の基準値以上を満足しているものを求め、その中でパワーマージンが最大になる記録パルス幅を最適記録パルス幅に決定し、その最大になるパワーマージンの中心値を最適記録パワーに決定する最適記録条件決定手段の機能を果たすようにしてもよい。
【００４５】
次に、光ディスク装置１における第２の記録ストラテジの最適化決定処理について説明する。
図６は、図１に示した光ディスク装置１における第２の記録ストラテジの最適化決定処理を示すフローチャート図である。
この第２の記録ストラテジの最適化決定処理（記録を行う発光パターンの最適化処理）は、コントローラ１０がパワー設定部１７へＯＰＣモード指令を送り、モータ制御部１２へ試し書き時の回転スピード制御指令（回転速度指令，線速度指令）を送り、パルス設定部１６へ試し書き用のデータ（このデータは光ディスク装置１が記憶しているデータ，光ディスク装置１が作成したデータ，ホスト装置２から入力されたデータのいずれでもよい）の記録データ列ＷＤＡＴＡを送り、アクセス制御部１５へアクセス制御指令を送る。
【００４６】
すると、ステップ（図中「Ｓ」で示す）１１でモータ制御部は回転スピード制御指令に基づいて回転モータを所定の線速度（所定の回転速度）Ｖｏで回転させ（光ディスクを線速度Ｖｏで回転させ）、ステップ１２でパルス設定部は記録データ列ＷＤＡＴＡに基づいて所定の記録パルス幅（ライトパルス幅）ＴＨ＿０を設定する入力パルス信号ＷＤをＬＤドライバへ出力し、ステップ１３でパワー設定部はＯＰＣモード（データ試し書きモード）に移行し、予め設定された数段階の記録パワーの各記録パワー信号を順次ＬＤドライバへ出力し、アクセス制御部はアクセス制御信号に基づいてヘッドを光ディスクのユーザデータ領域（ユーザデータエリア）よりも内周に設けられた試し書き領域であるＰＣＡ領域（Ｐｏｗｅｒ　Ｃａｌｉｂｒａｔｉｏｎ　Ａｒｅａ：ＰＣＡ）へ移動させ、ＬＤドライバは入力パルス信号と記録パワー信号に基づいてヘッドのレーザ光の照射を制御して、光ディスクのＰＣＡ領域に所定の線速度で所定の記録パルス幅のデータを予め設定された数段階の記録パワーで、例えば、［Ｐ０，Ｐ１，・・・，Ｐ８，Ｐ９］の１０段階の記録パワーでそれぞれ記録（試し書き）する。すなわち、光ディスク３のＰＣＡ領域に所定の記録条件（所定の記録パルス幅，所定の記録パワー）でデータを試し書きする。
【００４７】
ＰＣＡ領域への記録後、コントローラ１０はパワー設定部１７へ再生モード指令を送り、モータ制御部１２へ再生時の回転スピード制御指令を送り、アクセス制御部１５へＰＣＡ領域へのアクセス制御指令を送る。
すると、ステップ１４でモータ制御部は回転スピード制御指令に基づいて回転モータを再生時の線速度で回転させ、パワー設定部は再生モードに移行して再生パワーをＬＤドライバへ出力し、アクセス制御部はアクセス制御信号に基づいてヘッドを光ディスクのＰＣＡ領域へ移動させ、ＬＤドライバは再生パワーに基づいてヘッドのレーザ光の照射を制御して、光ディスクのＰＣＡ領域に記録された各試し書きのデータをそれぞれ再生してその再生信号（ＲＦ）を得る。すなわち、所定の記録条件で光ディスク３に試し書きされた各データを再生する。
【００４８】
さらに、その再生信号（ＲＦ）の適当なパラメータであるβ値を測定（検出）し、そのβ値から記録特性を評価する。その記録特性の評価には、β値に基づいて上記各記録パワー毎に上記所定の記録パルス幅の試し書きデータのパワーマージン（βマージン）を用いる。まず、各試し書きのデータの再生信号からそれぞれのβ値を求め、その各β値に基づいて各試し書きのデータの記録特性を示すパワーマージンを求め、その各パワーマージンがそれぞれの記録特性の評価結果データに相当する。
【００４９】
ステップ１５で各パワーマージンが予め設定した基準値以上か否かを判断して、各パワーマージンが予め設定した基準値を満たすか否かを判断し、各パワーマージンが予め設定した基準値以上でなければ、ステップ１９で記録パルス幅ＴＨ＿０を変更し、ステップ１３へ戻って再度試し書きとパワーマージンを評価する処理を行う。
ステップ１５の判断で予め設定した基準値以上のパワーマージンがあれば、ステップ１６で基準値以上のパワーマージンの記録パルス幅ＴＨを２セット以上有るか否かを判断し、２セット以上無ければステップ１９で記録パルス幅ＴＨ＿０を変更し、ステップ１３へ戻って再度試し書きとパワーマージンを評価する処理を行う。
【００５０】
ステップ１６の判断で２セット以上有れば、ステップ１７で基準値以上のパワーマージンの再生信号が得られた試し書きデータの複数の記録パルス幅の中からパワーマージンが最大値の記録パルス幅ＴＨを最適記録パルス幅に決定する。
例えば、記録パルス幅ＴＨ＿１とＴＨ＿２を見出した場合、そのどちらかのパワーマージンが最大値になる記録パルス幅を最適記録パルス幅ＴＨに決定する。
さらに、ステップ１８で上記最適記録パルス幅に決定したパワーマージンの中心値の記録特性が確保できる記録パワーを最適記録パワーＰｗに決定する。
このようにして、予め設定した基準値を満たすパワーマージンを複数個求め、その中からパワーマージンが最大値の再生信号が得られた試し書きデータの記録条件（記録パルス幅，記録パワー）を最適記録条件として決定する。
【００５１】
この第２の記録ストラテジの最適化決定処理では、パワーマージンが所定の基準値以上を確保されていると判断されても、その条件を満たす記録パルス幅ＴＨが２セット以上見出したかを判断し、２セット以上でない場合は、記録パルス幅ＴＨ＿０を変更して再度試し書きをしてパワーマージンを評価する。そこで、パワーマージンが所定の基準値以上を確保されている記録パルス幅ＴＨ＿１とＴＨ＿２を見出した場合、そのパワーマージンが最大値になる方の記録パルス幅を最適記録パルス幅ＴＨに決定する。
このようにして、記録特性のパワーマージンが最大値になる最適記録条件を決定できるので、記録ストラテジにバラツキがあってもさらに記録再生特性を向上させることができる。
【００５２】
（３）この発明に係る光ディスク装置１における第３の記録ストラテジの最適化決定機能
この第３の記録ストラテジの最適化決定機能は、上記第１の記録ストラテジの最適化決定機能又は上記第２の記録ストラテジの最適化決定機能において、上記記録特性の評価を、上記再生したデータのブロックエラーレート（ＢＬＥＲ）が所定の基準値以下であるパワーマージンに基づいて評価するようにしたものである。そのために、上記プログラムにこの第３の記録ストラテジの最適化決定機能に係る記録特性の評価の手順を追加し、上記コントローラ１０等がその手順を実行することにより、第３の記録ストラテジの最適化決定機能を実現する。
【００５３】
次に、光ディスク装置１における第３の記録ストラテジの最適化決定処理について説明する。
この第３の記録ストラテジの最適化決定処理は、上記第１の記録ストラテジの最適化決定処理の記録特性の評価処理（図５のステップ４）と上記第２の記録ストラテジの最適化決定処理の記録特性の評価処理（図６のステップ１４）において、記録特性として再生信号のブロックエラーレート（ＢＬＥＲ）を用いた場合の処理である。
【００５４】
図７は、記録パルス幅を変化させた時のＢＬＥＲのパワーマージンを測定した結果を示す線図である。
同図には、記録パルス幅（ｎ＋０．４）Ｔ，記録パルス幅（ｎ＋０．６）Ｔ，記録パルス幅（ｎ＋０．８）Ｔの各パワーマージンの測定値を示している。
【００５５】
ここで、ＢＬＥＲの基準値としてＢＬＥＲ＜５０とした場合、同図に基づいて上記基準値を満たすβ値の範囲（Ｂｅｔａ範囲）からパワーマージンを求めると次の（１）〜（３）が得られる。
（１）記録パルス幅（ｎ＋０．８）Ｔ；−１２％＜β値（Ｂｅｔａ）＜＋１０％；パワーマージン＝１０％−（−１２％）＝２２％
（２）記録パルス幅（ｎ＋０．６）Ｔ；−１５％＜β値（Ｂｅｔａ）＜＋１３％；パワーマージン＝１３％−（−１５％）＝２８％
（３）記録パルス幅（ｎ＋０．４）Ｔ；−１８％＜β値（Ｂｅｔａ）＜＋１５％；パワーマージン＝１５％−（−１８％）＝３３％
【００５６】
そして、評価結果データであるパワーマージンと比較する予め設定した基準値（ＢＬＥＲのパワーマージンの基準値）を２５％以上とした場合、それを満たす記録パルス幅は（ｎ＋０．６）Ｔと（ｎ＋０．４）Ｔであるが、ここでは記録パルス幅（ｎ＋０．４）Ｔの方がＢＬＥＲのパワーマージンが最大値になるので、その記録パルス幅（ｎ＋０．４）Ｔを最適記録パルス幅に決定する。
さらに、記録パルス幅（ｎ＋０．４）Ｔのパワーマージンの中心値、つまりβ値（Ｂｅｔａ）＝（１５％−１８％）／２＝−１．５％に基づいて求められる記録パワーを最適記録パワーに決定する。
【００５７】
例えば、図８は記録パルス幅が（ｎ＋０．４）Ｔ，（ｎ＋０．６）Ｔ，（ｎ＋０．８）Ｔのときのβ値と記録パワーの関係を示す線図であるが、同図に示すように記録パルス幅（ｎ＋０．４）Ｔのβ値−１．５％に対応する記録パワー５４ｍＷを最適記録パワーＰｗに決定する。
このようにして、光ディスク装置において測定可能なＢＬＥＲに基づいて最適な記録ストラテジ条件を決定できるので、常に最適記録条件で情報の記録を行うことができる。
【００５８】
（４）この発明に係る光ディスク装置１における第４の記録ストラテジの最適化決定機能
この第４の記録ストラテジの最適化決定機能は、上記第１の記録ストラテジの最適化決定機能又は上記第２の記録ストラテジの最適化決定機能において、上記記録特性の評価を、上記再生したデータのブロックエラーレート（ＢＬＥＲ）が所定の基準値以下であり且つ前記再生したデータの振幅値である変調度（Ｍｏｄｕｌａｔｉｏｎ）が所定の基準値以上であるパワーマージンを評価するようにしたものである。そのために、上記プログラムにこの第４の記録ストラテジの最適化決定機能に係る記録特性の評価の手順を追加し、上記コントローラ１０等がその手順を実行することにより、第４の記録ストラテジの最適化決定機能を実現する。
【００５９】
次に、光ディスク装置１における第４の記録ストラテジの最適化決定処理について説明する。
この第４の記録ストラテジの最適化決定処理は、上記第１の記録ストラテジの最適化決定処理の記録特性の評価処理（図５のステップ４）と上記第２の記録ストラテジの最適化決定処理の記録特性の評価処理（図６のステップ１４）において、記録特性として再生信号のブロックエラーレート（ＢＬＥＲ）と変調度（振幅値）を用いた場合の処理である。
【００６０】
図９は、記録パルス幅を変化させた時の変調度ｍ１１のパワーマージンを測定した結果を示す線図である。
同図には、記録パルス幅（ｎ＋０．４）Ｔ，記録パルス幅（ｎ＋０．６）Ｔ，記録パルス幅（ｎ＋０．８）Ｔの変調度ｍ１１の各パワーマージンの測定値を示している。
【００６１】
まず、上述と同様にして、ＢＬＥＲの基準値としてＢＬＥＲ＜５０とした場合、図７に基づいて上記基準値を満たすβ値の範囲（Ｂｅｔａ範囲）からパワーマージンを求めると次の（１）〜（３）が得られる。
（１）記録パルス幅（ｎ＋０．８）Ｔ；−１２％＜β値（Ｂｅｔａ）＜＋１０％；パワーマージン＝１０％−（−１２％）＝２２％
（２）記録パルス幅（ｎ＋０．６）Ｔ；−１５％＜β値（Ｂｅｔａ）＜＋１３％；パワーマージン＝１３％−（−１５％）＝２８％
（３）記録パルス幅（ｎ＋０．４）Ｔ；−１８％＜β値（Ｂｅｔａ）＜＋１５％；パワーマージン＝１５％−（−１８％）＝３３％
【００６２】
また、図９に基づいて、変調度ｍ１１＞０．６になるβ値の範囲（Ｂｅｔａ範囲）を求めると次の（４）〜（６）が得られる。
（４）記録パルス幅（ｎ＋０．８）Ｔ；β値（Ｂｅｔａ）＞−１５％
（５）記録パルス幅（ｎ＋０．６）Ｔ；β値（Ｂｅｔａ）＞−１０％
（６）記録パルス幅（ｎ＋０．４）Ｔ；β値（Ｂｅｔａ）＞−５％
【００６３】
さらに、上記（１）〜（６）より、ＢＬＥＲ＜５０かつ変調度ｍ１１＞０．６を満足するβ値の範囲（Ｂｅｔａ範囲）から各パワーマージンを求めると次の（７）〜（９）が得られる。
（７）記録パルス幅（ｎ＋０．８）Ｔ；−１２％＜β値（Ｂｅｔａ）＜＋１０％；パワーマージン＝１０％−（−１２％）＝２２％
（８）記録パルス幅（ｎ＋０．６）Ｔ；−１０％＜β値（Ｂｅｔａ）＜＋１３％；パワーマージン＝１３％−（−１０％）＝２３％
（９）記録パルス幅（ｎ＋０．４）Ｔ；−５％＜β値（Ｂｅｔａ）＜＋１５％；パワーマージン＝１５％−（−５％）＝２０％
【００６４】
そして、上記（７）〜（９）の中で記録パルス幅（ｎ＋０．６）Ｔが最もＢＬＥＲ＜５０かつ変調度ｍ１１＞０．６を満足するパワーマージンが最大値となる記録パルス幅であることから、その記録パルス幅（ｎ＋０．６）Ｔを最適記録パルス幅に決定する。さらに、記録パルス幅（ｎ＋０．６）Ｔのパワーマージンの中心値、つまりβ値（Ｂｅｔａ）＝（１３％−１０％）／２＝−１．５％に基づいて求められる記録パワーを最適記録パワーに決定する。
例えば、図８に示すように、記録パルス幅（ｎ＋０．６）Ｔのβ値−１．５％に対応する記録パワー約５０ｍＷを最適記録パワーＰｗに決定する。
このようにして、記録特性として変調度（Ｍｏｄｕｌａｔｉｏｎ）も考慮して記録ストラテジ条件を決定しているので、記録再生特性をさらに向上させることができる。
【００６５】
（５）この発明に係る光ディスク装置１における第５の記録ストラテジの最適化決定機能
この第５の記録ストラテジの最適化決定機能は、上記第１〜第４の記録ストラテジの最適化決定機能のいずれかにおいて、上記評価結果データが予め設定した基準値を満たさないとき、上記記録媒体への記録速度を遅くして上記記録媒体に再度データを試し書きし、その試し書きしたデータを再生したデータに基づいて上記記録特性の評価を行うようにしたものである。そのために、上記プログラムにこの第５の記録ストラテジの最適化決定機能に係る記録特性の評価の手順を追加し、上記コントローラ１０等がその手順を実行することにより、第５の記録ストラテジの最適化決定機能を実現する。
【００６６】
次に、光ディスク装置１における第５の記録ストラテジの最適化決定処理について説明する。
この第５の記録ストラテジの最適化決定処理は、上記第１〜第４の記録ストラテジの最適化決定処理において、上記記録特性のパワーマージン（評価結果データ）が所定の基準値を満たさない場合、光ディスク３に対してその記録速度での記録ストラテジの最適化決定処理を中止し、例えば、１段階遅い記録速度で上述と同様にして記録ストラテジの最適化決定処理（試し書き，再生，記録特性の評価）を実施する。
このようにして、十分な記録品質が確保できない記録速度でのデータ記録を禁止し、その記録速度よりも遅い記録速度で記録ストラテジの最適化決定処理を実施するので、データ記録後に再生できなくなるような不具合を防止することができる。
【００６７】
（６）この発明に係る光ディスク装置１における第６の記録ストラテジの最適化決定機能
この第６の記録ストラテジの最適化決定機能は、上記第１〜第５の記録ストラテジの最適化決定機能のいずれかにおいて、上記最適記録条件決定手段によって決定された最適記録条件を記憶する最適記録条件記憶手段を設け、次回の最適記録条件の決定の際は、上記最適記録条件記憶手段から読み出した最適記録条件に基づいて記録媒体にデータを試し書きし、その試し書きしたデータを再生したデータに基づいて上記最適記録条件を決定するようにしたものである。その最適記録条件記憶手段は上記コントローラ１０及びパラメータ記憶部１９に相当し、上記プログラムにこの第６の記録ストラテジの最適化決定機能に係る次回の最適記録条件の決定の際の手順を追加し、上記コントローラ１０等がその手順を実行することにより、第６の記録ストラテジの最適化決定機能を実現する。
【００６８】
次に、光ディスク装置１における第６の記録ストラテジの最適化決定処理について説明する。
この第６の記録ストラテジの最適化決定処理は、コントローラ１０が上記第１〜第５の記録ストラテジの最適化決定処理において決定した最適記録条件（最適記録パルス幅，最適記録パワー）の制御パラメータをパラメータ記憶部１９に記憶して格納し、次回の記録ストラテジの最適化決定処理（最適記録条件の決定）の際は、パラメータ記憶部１９から読み出した最適記録条件に基づいて光ディスク３にデータを試し書きし、その試し書きしたデータを再生したデータに基づいて最適記録条件を決定する処理を行う。
このようにして、過去の記録ストラテジの最適化決定処理で決定された最適記録条件（記録ストラテジパラメータ）をベースにして以降の記録ストラテジの最適化決定処理を実行するので、記録ストラテジの最適化決定の処理時間を短縮することができる。
【００６９】
（７）この発明に係る光ディスク装置１における第７の記録ストラテジの最適化決定機能
この第７の記録ストラテジの最適化決定機能は、上記第６の記録ストラテジの最適化決定機能において、上記最適記録条件記憶手段を、上記最適記録条件決定手段によって決定された複数の記録速度毎の最適記録条件を記憶する手段にし、上記最適記録条件決定手段によって複数の記録速度毎にデータ記録時の最適記録条件を決定するようにしたものである。この場合の最適記録条件記憶手段も上記コントローラ１０及びパラメータ記憶部１９に相当し、上記プログラムにこの第７の記録ストラテジの最適化決定機能に係る複数の記録速度毎にデータ記録時の最適記録条件を決定する手順を追加し、上記コントローラ１０等がその手順を実行することにより、第７の記録ストラテジの最適化決定機能を実現する。
【００７０】
次に、光ディスク装置１における第７の記録ストラテジの最適化決定処理について説明する。
例えば、ＣＤ−Ｒディスク記録装置では基準の線速度に対して、２倍速，４倍速等の複数種類の記録線速度の記録モードをもつ場合が多い。その場合、記録速度毎に最適記録条件は異なる。
そこで、第７の記録ストラテジの最適化決定処理は、コントローラ１０が上記第１〜第６の記録ストラテジの最適化決定処理によって記録速度毎の最適記録条件を求め、パラメータ記憶部１９に記録速度毎の最適記録条件の制御パラメータ（ストラテジパラメータ）を記憶して格納して保存する処理を行う。
このようにして、記録速度毎に最適記録条件は異なるため、記録速度毎の最適記録条件を記憶することにより、どの記録速度でも常に最適記録条件でデータ記録を行うことができる。
【００７１】
（８）この発明に係る光ディスク装置１における第８の記録ストラテジの最適化決定機能
この第８の記録ストラテジの最適化決定機能は、上記第６の記録ストラテジの最適化決定機能において、上記最適記録条件記憶手段を、上記最適記録条件決定手段によって決定された複数種類の記録媒体毎の最適記録条件を記憶する手段にし、上記最適記録条件決定手段によって複数種類の記録媒体毎にデータ記録時の最適記録条件を決定するようにしたものである。この場合の最適記録条件記憶手段も上記コントローラ１０及びパラメータ記憶部１９に相当し、上記プログラムにこの第８の記録ストラテジの最適化決定機能に係る複数種類の記録媒体毎にデータ記録時の最適記録条件を決定する手順を追加し、上記コントローラ１０等がその手順を実行することにより、第８の記録ストラテジの最適化決定機能を実現する。
【００７２】
次に、光ディスク装置１における第８の記録ストラテジの最適化決定処理について説明する。
例えば、ＣＤ−Ｒディスクにもその記録膜の特性の違いによって最適記録条件は異なる。
そこで、第８の記録ストラテジの最適化決定処理請求項８の装置は、コントローラ１０が上記第１〜第６の記録ストラテジの最適化決定処理によって光ディスク（記録媒体）毎の最適記録条件を求め、パラメータ記憶部１９に記録媒体毎の最適記録条件の制御パラメータ（ストラテジパラメータ）を記憶して格納して保存する処理を行う。
このようにして、記録媒体毎に記録特性が異なり最適記録条件も異なるため、記録媒体毎の最適記録条件を記憶することにより、どんな種類の記録媒体に対しても最適記録条件でデータ記録を行うことができる。
【００７３】
（９）この発明に係る光ディスク装置１における第９の記録ストラテジの最適化決定機能
この第９の記録ストラテジの最適化決定機能は、上記第６の記録ストラテジの最適化決定機能において、上記最適記録条件決定手段によってデータ記録時の最適記録条件を決定する毎に上記最適記録条件記憶手段に記憶した最適記録条件を更新する手段を設けたものである。そのために、上記プログラムにこの第９の記録ストラテジの最適化決定機能に係る最適記録条件を更新する手順を追加し、上記コントローラ１０等がその手順を実行することにより、第９の記録ストラテジの最適化決定機能を実現する。
【００７４】
次に、光ディスク装置１における第９の記録ストラテジの最適化決定処理について説明する。
光ディスク装置１でデータ記録するときの様々なユーザ環境，データ記録に使用する光ディスク３，更には光ディスク装置１や光ディスク３の経時変化に対応するため、第９の記録ストラテジの最適化決定処理は、コントローラ１０が上記記録ストラテジの最適化決定処理で決定され、パラメータ記憶部１９に記憶された最適記録条件の制御パラメータを上記記録ストラテジの最適化決定処理を実施するたびにその新たに決定されたデータ記録時の最適記録条件の制御パラメータに更新する処理を行う。
このようにして、光ディスク装置１で光ディスク３にデータ記録を行う度に最適記録条件の制御パラメータ（記録ストラテジパラメータ）を新しい値に更新するので、常にデータ記録時の適正な記録条件を確保することができる。その結果、光ディスクに対する安定したデータ記録品質を確保することができる。
【００７５】
次に、この情報記録システムにおける光ディスク装置１とホスト装置２との間の制御機能について説明する。
（１０）この発明に係るホスト装置２における光ディスク装置１の記録ストラテジの最適化決定処理実行制御機能
このホスト装置２における光ディスク装置１の記録ストラテジの最適化決定処理実行制御機能を実現するため、ホスト装置２の制御部２０のメモリ（図示を省略）に、コンピュータに、上記情報記録装置に対して上記最適記録条件決定手順によるデータ記録時の最適記録条件を決定させるか否かを選択する選択手順と、該選択手順によってデータ記録時の最適記録条件を決定させることが選択されたとき、上記情報記録装置に対して上記最適記録条件決定手順によるデータ記録時の最適記録条件を決定させる処理を実行させる指示を送る手順を実行させるためのプログラムをインストールする。そして、制御部２０がそのプログラムを実行することにより、上記情報記録装置に対して上記最適記録条件決定手段によるデータ記録時の最適記録条件を決定させることが選択されたとき、上記情報記録装置に対して上記最適記録条件決定手段によるデータ記録時の最適記録条件を決定させる処理を実行させる指示を送る処理を行う。
【００７６】
すなわち、上記制御部２０が、上記情報記録装置に対して上記最適記録条件決定手段によるデータ記録時の最適記録条件を決定させるか否かを選択する選択手段と、その選択手段によってデータ記録時の最適記録条件を決定させることが選択されたとき、上記情報記録装置に対して上記最適記録条件決定手段によるデータ記録時の最適記録条件を決定させる処理を実行させる指示を送る手段の機能を果たす。
【００７７】
一方、上記第１〜第９の記録ストラテジの最適化決定機能のいずれかにおいて、上記プログラムにホスト装置２から指示を受け取ったときに上記第１〜第９の記録ストラテジの最適化決定機能のいずれかを実行させるための手順を追加し、上記コントローラ１０等がその手順を実行することにより、上記第１〜第９の記録ストラテジの最適化決定機能のいずれかを実行する。
【００７８】
このホスト装置２における光ディスク装置１の記録ストラテジの最適化決定処理実行制御機能は、光ディスク装置１に対して記録ストラテジ（記録パワーや記録パルス幅）を適宜最適値に制御できる自己診断機能を実行するか否かを選択可能にする機能である。
ホスト装置２はＳＣＳＩ，ＡＴＡＰＩ，ＵＳＢなどの公知のインターフェースによって光ディスク装置１へ記録データ列信号（ＷＤＡＴＡ）や各種の制御指令を与えることができる。ホスト装置２の制御部２０は、ユーザからの入力によって光ディスク装置１に対してデータ記録時の最適記録条件を決定させる処理の実行が選択されると、上記インターフェースを介して光ディスク装置１のコントローラ１０へ上記第１〜第９のいずれかの記録ストラテジの最適化決定処理を実行させる制御指令を送る。
【００７９】
一方、光ディスク装置１のコントローラ１０は、ホスト装置２から上記制御指令を受け取ると、上記第１〜第９のいずれかの記録ストラテジの最適化決定処理を実行する。
また、ホスト装置２の制御部２０からデータ記録時の最適記録条件を決定させる処理の実行の制御指令と共に、ユーザによって選択された記録速度（線速度）の情報も光ディスク装置１へ通知し、光ディスク装置１のコントローラ１０がその線速度で上記第１〜第９のいずれかの記録ストラテジの最適化決定処理を実行するようにしてもよい。
このようにして、ユーザが選択可能な機能を設けることにより、ユーザが定期的に記録条件の最適化を選ぶことが可能なので、常にメディア毎に安定した記録品質を確保できる最適記録条件を設定することができ、光ディスクに対して常に高品質のデータを安定して記録することができる。
【００８０】
次に、この情報記録システムにおける光ディスク装置１からホスト装置２への警告・報告機能について説明する。
（１１）この発明に係る光ディスク装置１におけるホスト装置２への警告・報告機能
この光ディスク装置１におけるホスト装置２への警告・報告機能を実現するため、コントローラ１０のメモリ（図示を省略）にインストールするプログラムに、コンピュータに上記最適記録条件決定手順によって所定の記録速度でのデータ記録時の最適記録条件の決定が不可能な場合、最適記録条件の決定が不可能な記録速度であることを警告し、最適記録条件の決定が可能な記録速度を報告する手順を追加し、コントローラ１０がそのプログラムを実行することにより、ホスト装置２への警告・報告機能を実現する。
【００８１】
すなわち、コントローラ１０等が、上記最適記録条件決定手段によって所定の記録速度でのデータ記録時の最適記録条件の決定が不可能な場合、最適記録条件の決定が不可能な記録速度であることを警告し、最適記録条件の決定が可能な記録速度を報告する手段の機能を果たす。
【００８２】
一方、ホスト装置２にインストールするプログラムには、光ディスク装置１から最適記録条件の決定が不可能な記録速度であることの警告と、最適記録条件の決定が可能な記録速度の報告とを出力（図示を省略した表示装置への表示，図示を修略した印刷装置による印刷，図示を省略したスピーカによる音声出力等）する手順を追加し、コントローラ１０がそのプログラムを実行することにより、光ディスク装置からの警告及び報告を出力する機能を実現する。
すなわち、上記制御部２０が、光ディスク装置１からの警告及び報告を出力する手段の機能を果たす。
【００８３】
この光ディスク装置１におけるホスト装置２への警告・報告機能は、コントローラ１０がホスト装置２から指定された記録速度で上記第１〜第９の記録ストラテジの最適化決定処理を実行し、その記録速度でのデータ記録時の最適記録条件の決定が不可能な場合、最適記録条件の決定が不可能な記録速度であることを警告し、最適記録条件の決定が可能な記録速度を報告するメッセージデータを上記インターフェースを介してホスト装置２へ送信する。
【００８４】
一方、ホスト装置２の制御部２０は、光ディスク装置１から上記メッセージデータを受信すると、そのメッセージデータに基づいて最適記録条件の決定が不可能な記録速度であることを警告し、最適記録条件の決定が可能な記録速度を報告するメッセージを表示装置に表示する。または、ホスト装置２に図示を省略した公知のインターフェースで接続されている印刷装置によって印刷したり、同じく図示を省略したスピーカから音声出力したり、同じく図示を省略した公知のネットワークを介して外部の端末装置等へ出力したりする。
このようにして、ユーザーは、最適記録条件の決定が可能な記録速度を容易に認知することができ、その記録速度での情報記録を禁止することによってデータ記録後に再生できなくなるような不具合を防止することができる。
【００８５】
【発明の効果】
以上説明してきたように、この発明の情報記録装置によれば、各種変動要因によっても記録特性が変動しない最適記録条件によって記録媒体上に高い信頼性をもつ高品質のデータを安定して記録することができる。また、この発明のホスト装置によれば上記情報記録装置に対して各種変動要因によっても記録特性が変動しない最適記録条件で高品質のデータ記録を実行させることができる。
【図面の簡単な説明】
【図１】図２に示した光ディスク装置１とホスト装置２の内部の機能構成を示すブロック図である。
【図２】この発明の一実施形態である光ディスク装置とホスト装置とからなる情報記録再生システムの構成を示すブロック図である。
【図３】記録データ列信号から入力パルス信号へ変換する処理の説明に供する波形図である。
【図４】再生信号（ＲＦ）から低域成分を除去して上側包絡線レベルａと下側包絡線レベルｂを求める処理の説明に供する波形図である。
【図５】図１に示した光ディスク装置１における第１の記録ストラテジの最適化決定処理を示すフローチャート図である。
【図６】図１に示した光ディスク装置１における第２の記録ストラテジの最適化決定処理を示すフローチャート図である。
【図７】記録パルス幅を変化させた時のＢＬＥＲのパワーマージンを測定した結果を示す線図である。
【図８】記録パルス幅が（ｎ＋０．４）Ｔ，（ｎ＋０．６）Ｔ，（ｎ＋０．８）Ｔのときのβ値と記録パワーの関係を示す線図である。
【図９】記録パルス幅を変化させた時の変調度ｍ１１のパワーマージンを測定した結果を示す線図である。
【符号の説明】
１：光ディスク装置　　　２：ホスト装置
３：光ディスク　　　　　１０：コントローラ
１１：回転モータ　　　　１２：モータ制御部
１３：ヘッド　　　　　　１４：ＬＤドライバ
１５：アクセス制御部　　１６：パルス設定部
１７：パワー設定部　　　１８：β値検出部
１９：パラメータ記憶部　２０：制御部
【図１】
2004139649.tif 000003
【図２】
2004139649.tif 000004
【図３】
2004139649.tif 000005
【図４】
2004139649.tif 000006
【図５】
2004139649.tif 000007
【図６】
2004139649.tif 000008
【図７】
2004139649.tif 000009
【図８】
2004139649.tif 000010
【図９】
2004139649.tif 000011